【事件の表示】
　特願２０１７−５３１６６４「デュアルアクティブ接続を使用したハンドオーバ」拒絶査定不服審判事件〔平成２８年　６月２３日国際公開、ＷＯ２０１６／０９５５８４、平成３０年　２月　１日国内公表、特表２０１８−５０３３０３〕について、次のとおり審決する。
【結　論】
　本件審判の請求は、成り立たない。
【理　由】
第１　手続の経緯
　本願は、２０１５年（平成２７年）９月２８日（パリ条約による優先権主張　外国庁受理　２０１４年１２月１７日　中国）を国際出願日とする出願であって、その手続の経緯は以下のとおりである。
　平成２９年　６月２０日　　　手続補正書の提出
　平成３０年　９月１３日　　　手続補正書の提出
　平成３１年　４月１９日付け　拒絶理由通知書
　令和　元年　８月　２日　　　意見書、手続補正書の提出
　令和　元年　８月２９日付け　拒絶査定
　令和　元年１２月２７日　　　拒絶査定不服審判の請求、手続補正書の提
　　　　　　　　　　　　　　　出
　令和　２年　１月２９日　　　手続補正書（方式）の提出
　令和　２年　４月１４日　　　上申書の提出
　令和　２年　７月　７日　　　上申書の提出
　令和　２年　９月２３日付け　拒絶理由通知書（当審）
　令和　２年１２月２２日　　　意見書、手続補正書の提出
第２　本願発明について
　本願の請求項１ないし１２に係る発明は、令和２年１２月２２日にされた手続補正により補正された特許請求の範囲の請求項１ないし１２に記載された事項により特定されるところ、その請求項３に係る発明（以下、「本願発明」という。）は、以下のとおりのものと認める。
「　　　【請求項１】
　デュアルアクティブハンドオーバを円滑にするためにユーザ機器デバイス上で動作可能な方法であって、
　第1のネットワークを介した通信サービスのための第1の接続を第1のアクセスノードと確立するステップと、
　第2のアクセスノードに対するハンドオーバが発生するという指示を取得するステップと、
　前記第1の接続が確立された状態にとどまると同時に、前記第1のネットワークまたは第2のネットワークを介した通信サービスのための第2の接続を第2のアクセスノードと確立するステップと、
　ハンドオーバ中に前記第1の接続と前記第2の接続の両方を介してパケットを受信するステップと、
　前記ハンドオーバ中に前記受信されたパケットを並べ替えるステップと、
　前記ハンドオーバ中に受信された重複パケットを削除するステップであって、
　　パケット識別子が、前記第1の接続を介して受信されたパケットと、前記第2の接続を介して受信されたパケットとを比較するために使用される、ステップと、
　前記第1の接続を終了するステップと
を含む、方法。
　　【請求項３】
　前記ハンドオーバが発生するという指示を前記取得するステップが、前記ハンドオーバを開始するために前記ユーザ機器デバイスによって自律的判定を行うステップを含む、請求項1に記載の方法。」
第３　拒絶の理由
　令和２年９月２３日付けで当審が通知した拒絶理由（以下、「当審拒絶理由」という。）の概要は、
「この出願の下記の請求項に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」というものであり、特許請求の範囲の請求項３に対して引用例１５が引用されている。
引用例１５：特開２００４−２２８７５４号公報 
第４　引用発明及び周知事項について
１．引用例１５について
　当審拒絶理由で引用された特開２００４−２２８７５４号公報（以下、「引用例１５」という。）には、次の記載がある。（下線は当審が付与。）
（１）「【００２７】
図６は本発明による移動通信システムにおけるネットワークの構成を示す図であり、１０は移動端末（ＭＮ）、３０は移動端末１０を収容して位置管理を行うホームエージェント（ＨＡ）装置、５０は移動端末１０と通信を行う通信装置（ＣＮ）、
７１、７２は移動端末１０と無線交信を行うアクセスルータ（ＡＲ）である。５００はホームエージェント装置３０、
アクセスルータ７１、７２を接続するローカルネットワーク
【００２８】
本発明の主旨は、
移動端末１０がアクセスルータ７１、７２間を移動する際に、移動先のアクセスルータ７２配下で使用するケアオブアドレス（ｎＣｏＡ）を事前に取得し、
バインディングアップデートメッセージを用いてホームエージェント装置３０に通知し、ホームエージェント装置３０は、移動端末１０への転送パケットを複製して、既に登録されているアクセスルータ７１配下で使用するケアオブアドレス（ｏＣｏＡ）と移動先のケアオブアドレス（ｎＣｏＡ）の双方に送出することにより、高速なハンドオーバを実現するものである。移動端末１０は、移動元と移動先でほぼ同じタイミングで同一パケットを受信可能となる
（２）「【００５８】
以下、
移動端末１０の構成および基本的な動作について説明する。
（略）
【００５９】
なお、図３において、
ネットワークと接続するＬ１／２処理部１１、１６
（３）「【００６５】
次に、
移動端末１０のハンドオーバ時の動作について、移動端末１０が実施する本発明に関するハンドオーバ時の処理手順を示す
【００６６】
ハンドオーバ制御部１８は、
ハンドオーバの発生を
検出すると（Ｓ１１）
【００６７】
ハンドオーバ制御部１８は、
取得したｎＣｏＡをホームエージェント装置３０
に通知するため、バインディングアップデートメッセージを生成送信するよう
ｎＣｏＡ通知用のバインディングアップデートメッセージは、
アクセスネットワークに送出される（Ｓ１３）。
【００６８】
また、ハンドオーバ制御部１８は、
移動先ネットワークへのハンドオーバ完了後（Ｓ１５）、ホームエージェント装置３０
による移動元のケアオブアドレスへの複製配信を停止させるため、
ホームエージェント装置３０
に、
バインディングアップデートメッセージを送信（Ｓ１６）する。
（４）「【００７７】
次に、
移動端末１０のデータ受信時の動作について、移動端末１０が実施する本発明に関するデータ受信時の処理手順を示す
【００７８】
本発明による
移動端末１０のデータ受信処理は、
パケットのシーケンス番号が記載された複製情報をもとにパケットの重複受信を回避する
（略）
【００８２】
移動端末１０は、上記複製情報に含まれるパケットシーケンスを図２２に示すようなパケットシーケンスキャッシュ６００によって管理する。パケットシーケンスキャッシュ６００では、ホームアドレスごとに受信済みパケットのシーケンスを管理する。図２２では、シーケンス番号１２、１４、１５、１８が既に受信されており、以後これらのシーケンス番号１２より小さいシーケンス番号が記載された複製情報を持つパケット受信した際には、それらのパケットは破棄される。
【００８３】
移動端末１０の起動時に、ハンドオーバ制御部１８は、パケットシーケンスキャッシュ６００を初期化する（Ｓ２１）。移動端末１０のＬ３処理部１２は、
データパケットを受信すると（Ｓ２２）、
同一シーケンス番号の有無を確認する（Ｓ２４）。同一シーケンスが検出されなかった場合は（Ｓ２６）、受信パケットの複製情報からシーケンス番号を抽出してパケットシーケンスキャッシュに記載し（Ｓ２８）
同一シーケンス番号が検出された場合は、既に受信されたデータパケットの複製であるとして、該パケットを破棄する。
【００８４】
以上のように、本発明の移動端末１０は、ハンドオーバ発生に際して先行取得した移動先のケアオブアドレスをホームエージェント装置３０や通信装置５０に通知することにより、以後移動先にも同一パケットフローを生成させることができ、ハンドオーバ後ただちにパケットを受信し、さらには同一パケットの重複受信を回避することができる。また、ハンドオーバ完了後に移動元へのパケットフローを停止させることができる。」
（５）「
【図６】
」
（６）「
【図１４】
」
（７）「
【図１７】
」
　上記記載及び当業者における技術常識からみて、以下の技術的事項が記載されている。
ａ．上記（１）の段落２７の「５００はホームエージェント装置３０、・・・アクセスルータ７１、７２を接続するローカルネットワーク」との記載及び上記（５）の図６から、ホームエージェント装置３０とアクセスルータ７１、７２はローカルネットワークに接続されている。
　また、上記（１）の段落２７に「７１、７２は移動端末１０と無線交信を行うアクセスルータ（ＡＲ）である。」と記載されていることから、移動端末１０とアクセスルータ７１、７２は無線交信している。
　そして、上記（１）の段落２８に「移動端末１０がアクセスルータ７１、７２間を移動する際に、・・・ホームエージェント装置３０は、移動端末１０への転送パケットを複製して、既に登録されているアクセスルータ７１配下で使用するケアオブアドレス（ｏＣｏＡ）と移動先のケアオブアドレス（ｎＣｏＡ）の双方に送出することにより、高速なハンドオーバを実現するものである。移動端末１０は、移動元と移動先でほぼ同じタイミングで同一パケットを受信可能となる」と記載されているので、移動端末１０がアクセスルータ７１、７２間を移動するハンドオーバの際に、ホームエージェント装置３０は、既に登録されているアクセスルータ７１配下で使用するケアオブアドレス（ｏＣｏＡ）にパケットを送出することにより、移動端末１０は、移動元アクセスルータ７１配下でパケットを受信しているといえ、また、ホームエージェント装置３０は、移動先のケアオブアドレス（ｎＣｏＡ）にパケットを送出することにより、移動端末１０は、移動先アクセスルータ７２配下でパケットを受信しているといえる。よって、移動端末１０がアクセスルータ７１、７２間を移動するハンドオーバの際に、移動端末１０は、移動元アクセスルータ７１配下と移動先アクセスルータ７２配下からほぼ同じタイミングで同一パケットを受信しているといえる。
　以上のことから、引用例１５には、ローカルネットワークにホームエージェント装置３０とアクセスルータ７１、７２が接続され、移動端末１０はアクセスルータ７１、７２と無線交信し、移動端末１０がアクセスルータ７１、７２間を移動するハンドオーバの際に、移動端末１０は移動元アクセスルータ７１配下と移動先アクセスルータ７２配下からほぼ同じタイミングで同一パケットを受信することが記載されているといえる。
　そして、上記（３）の段落６５に「移動端末１０のハンドオーバ時の動作について、移動端末１０が実施する本発明に関するハンドオーバ時の処理手順を示す」、及び、上記（４）の段落７７に「移動端末１０のデータ受信時の動作について、移動端末１０が実施する本発明に関するデータ受信時の処理手順を示す」と記載されていることから、引用例１５には、移動端末の動作方法が記載されているといえる。
　よって、引用例１５には、ローカルネットワークにホームエージェント装置３０とアクセスルータ７１、７２が接続され、移動端末１０はアクセスルータ７１、７２と無線交信し、移動端末１０がアクセスルータ７１、７２間を移動するハンドオーバの際に、移動端末１０は移動元アクセスルータ７１配下と移動先アクセスルータ７２配下からほぼ同じタイミングで同一パケットを受信するための移動端末の動作方法が記載されているといえる。
ｂ．上記（２）の段落５８に「移動端末１０の構成および基本的な動作について説明する。」と記載され、及び、段落５９に「ネットワークと接続するＬ１／２処理部１１、１６」と記載されていることから、移動端末１０は通信するためにはＬ１／Ｌ２接続を行っているといえる。
　そして、上記（１）の段落２８に「移動端末１０がアクセスルータ７１、７２間を移動する際に、・・・ホームエージェント装置３０は、移動端末１０への転送パケットを複製して、既に登録されているアクセスルータ７１配下で使用するケアオブアドレス（ｏＣｏＡ）と移動先のケアオブアドレス（ｎＣｏＡ）の双方に送出する」と記載され、ホームエージェント装置３０には、アクセスルータ７１配下で使用するケアオブアドレス（ｏＣｏＡ）は既に登録されていることから、移動端末１０がアクセスルータ７１、７２間を移動するハンドオーバの前に、移動端末１０は、ホームエージェント装置３０からの受信のために、移動元アクセスルータ７１配下の通信のＬ１／Ｌ２接続を既に確立しているといえる。
ｃ．上記（３）の段落６５に「移動端末１０のハンドオーバ時の動作について・・・説明する」と記載されているので、上記（３）の段落６５ないし６８の記載は、移動端末１０のハンドオーバ時の動作についての記載である。そして、同段落６６に「ハンドオーバの発生を・・・検出すると（Ｓ１１）」と記載されていることから、移動端末１０は移動先アクセスルータ７２へのハンドオーバの発生を検出しているといえる。
ｄ．上記（１）の段落２８の「移動先のアクセスルータ７２配下で使用するケアオブアドレス（ｎＣｏＡ）を事前に取得し、・・・バインディングアップデートメッセージを用いてホームエージェント装置３０に通知し、ホームエージェント装置３０は、移動端末１０への転送パケットを複製して、既に登録されているアクセスルータ７１配下で使用するケアオブアドレス（ｏＣｏＡ）と移動先のケアオブアドレス（ｎＣｏＡ）の双方に送出する」、及び、上記（２）の段落６７の「取得したｎＣｏＡをホームエージェント装置３０・・・に通知するため、バインディングアップデートメッセージを生成送信するよう・・・ｎＣｏＡ通知用のバインディングアップデートメッセージは、・・・アクセスネットワークに送出される（Ｓ１３）。」との記載によれば、ホームエージェント装置３０が既に登録されている移動元アクセスルータ７１配下と移動先アクセスルータ７２配下の双方でパケットを送出できるように、移動端末１０がホームエージェント装置３０にバインディングアップデートメッセージを送出するといえる。
ｅ．上記（１）の段落２８に「移動端末１０がアクセスルータ７１、７２間を移動する際に、・・・移動端末１０は、移動元と移動先でほぼ同じタイミングで同一パケットを受信可能となる」と記載されていることから、移動端末１０は、ハンドオーバ中に、移動元アクセスルータ７１配下と移動先アクセスルータ７２配下の双方で同一パケットを受信しているといえる。
ｆ．上記（４）の段落７８に「移動端末１０のデータ受信処理は、・・・パケットのシーケンス番号が記載された複製情報をもとにパケットの重複受信を回避する」、及び、上記（４）の段落８３に「データパケットを受信すると（Ｓ２２）、・・・同一シーケンス番号の有無を確認する（Ｓ２４）。同一シーケンスが検出されなかった場合は（Ｓ２６）、受信パケットの複製情報からシーケンス番号を抽出してパケットシーケンスキャッシュに記載し（Ｓ２８）・・・同一シーケンス番号が検出された場合は、既に受信されたデータパケットの複製であるとして、該パケットを破棄する。」と記載されており、上記ｅで検討したとおり、移動元アクセスルータ７１配下と移動先アクセスルータ７２配下の双方で同一パケットを受信するのはハンドオーバ中であることから、移動端末１０は、ハンドオーバ中にパケットのシーケンス番号をもとにパケットの重複受信を回避し、同一シーケンス番号が検出された場合は、既に受信されたデータパケットの複製であるとして、該パケットを破棄しているといえる。
　また、上記（４）の段落８３に「データパケットを受信すると（Ｓ２２）、・・・同一シーケンス番号の有無を確認する（Ｓ２４）。同一シーケンスが検出されなかった場合は（Ｓ２６）、受信パケットの複製情報からシーケンス番号を抽出してパケットシーケンスキャッシュに記載し（Ｓ２８）・・・同一シーケンス番号が検出された場合は、既に受信されたデータパケットの複製であるとして、該パケットを破棄する。」と記載されているので、シーケンス番号は既に受信したパケットと後から受信したパケットとを比較するために使用されているといえる。
　よって、移動端末１０は、ハンドオーバ中にパケットのシーケンス番号をもとにパケットの重複受信を回避し、同一シーケンス番号が検出された場合は、既に受信されたデータパケットの複製であるとして、該パケットを破棄し、シーケンス番号は既に受信したパケットと後から受信したパケットとを比較するために使用されるといえる。
ｇ．上記（３）の段落６５に「移動端末１０のハンドオーバ時の動作について・・・説明する」と記載されているので、上記（３）の段落６５ないし６８の記載は、移動端末１０のハンドオーバ時の動作についての記載である。そして、同段落６８に「移動先ネットワークへのハンドオーバ完了後（Ｓ１５）、ホームエージェント装置３０・・・による移動元のケアオブアドレスへの複製配信を停止させるため、・・・ホームエージェント装置３０・・・に、・・・バインディングアップデートメッセージを送信（Ｓ１６）する。」と記載されていることから、移動端末１０は、移動先ネットワークへのハンドオーバ完了後にホームエージェント装置３０による複製配信を停止させるといえる。
　以上を総合すると、引用例１５には次の発明（以下、「引用発明」という。）が記載されていると認められる。
「　ローカルネットワークにホームエージェント装置３０とアクセスルータ７１、７２が接続され、移動端末１０はアクセスルータ７１、７２と無線交信し、移動端末１０がアクセスルータ７１、７２間を移動するハンドオーバの際に、移動端末１０は移動元アクセスルータ７１配下と移動先アクセスルータ７２配下からほぼ同じタイミングで同一パケットを受信するための移動端末の動作方法であって、
　移動端末１０がアクセスルータ７１、７２間を移動するハンドオーバの前に、移動端末１０は、ホームエージェント装置３０からの受信のために、移動元アクセスルータ７１配下の通信のＬ１／Ｌ２接続を既に確立し、
　移動端末１０は移動先アクセスルータ７２へのハンドオーバの発生を検出し、
　ホームエージェント装置３０が既に登録されている移動元アクセスルータ７１配下と移動先アクセスルータ７２配下の双方でパケットを送出できるように、移動端末１０がホームエージェント装置３０にバインディングアップデートメッセージを送出し、
　移動端末１０は、ハンドオーバ中に、移動元アクセスルータ７１配下と移動先アクセスルータ７２配下の双方で同一パケットを受信し、
　移動端末１０は、ハンドオーバ中にパケットのシーケンス番号をもとにパケットの重複受信を回避し、同一シーケンス番号が検出された場合は、既に受信されたデータパケットの複製であるとして、該パケットを破棄し、シーケンス番号は既に受信したパケットと後から受信したパケットとを比較するために使用され、
　移動端末１０は、移動先ネットワークへのハンドオーバ完了後にホームエージェント装置３０による複製配信を停止させる、
を含む、方法。」
２．周知事項について
（１）当審拒絶理由で引用された特開２００３−１１１１３４号公報には、図面とともに次の記載がある。（下線は当審が付与）
「【００５８】リアルタイム受信を要しない場合には、移動元の基地局１４及び移動先の基地局１６からそれぞれ送信された異なるパケットが個別に受信され（ステップＳ１２６）、復調、ベースバンド処理が行われ、抽出された受信パケットの順序が並び替えられる（ステップＳ１２６）。
パケットの並び替えは、例えばパケットにシーケンス番号を付与することにより実現することができる。
（２）特開２００５−１１０２９４号公報には、図面とともに次の記載がある。（下線と当審が付与）
「【００２０】
　受信端末１１において、送受信部１１０は、モデム、ＬＡＮ等の、送信端末１０より送信されたデータパケットを受信する手段である。データ受信部１１１は、送受信部１１０からデータパケットを受け取り、必要なら
パケットをシーケンス番号順に並べ替え
　上記（１）及び（２）によれば、次の技術的事項（以下、「周知事項」という。）は周知であると認められる。
「パケットをシーケンス番号をもとに並び替える。」
第５　対比及び判断
　本願発明と引用発明とを対比する。
１．引用発明の「移動端末１０」は、本願発明の「ユーザ機器デバイス」に相当する。
　また、引用発明では「移動端末１０がアクセスルータ７１、７２間を移動するハンドオーバの際に、移動端末１０は移動元アクセスルータ７１配下と移動先アクセスルータ７２配下からほぼ同じタイミングで同一パケットを受信する」ことから、移動端末１０は、ハンドオーバの際に、ほぼ同じタイミングで、移動元アクセスルータ７１配下で通信するとともに、移動先アクセスルータ７２配下で通信している。よって、移動端末１０は移動元アクセスルータ７１配下と移動先アクセスルータ７２配下の両方で通信している状態でハンドオーバしているといえることから、本願発明と同様に、引用発明は「デュアルアクティブハンドオーバ」を行っているといえる。
　そして、引用発明では、このようなデュアルアクティブハンドオーバが円滑に行われていることは明らかであるから、引用発明の移動端末の動作方法はデュアルアクティブハンドオーバを円滑にするために行っている方法といえる。
　以上のことから、引用発明の「移動端末１０がアクセスルータ７１、７２間を移動するハンドオーバの際に、移動端末１０は移動元アクセスルータ７１と移動先アクセスルータ７２から同一パケットを受信するための移動端末の動作方法」は、本願発明と同様に、「デュアルアクティブハンドオーバを円滑にするためにユーザ機器デバイス上で動作可能な方法」といえる。
２．引用発明の移動元アクセスルータ７１配下の通信のＬ１／Ｌ２接続は、本願発明と同様、「第１の接続」といえ、引用発明のローカルネットワークは本願発明の「第１のネットワーク」に含まれる。そして、引用発明では「ローカルネットワークにホームエージェント装置３０とアクセスルータ７１、７２が接続され」ていることから、ホームエージェント装置３０と移動元アクセスルータ７１はローカルネットワークに接続されている。よって、引用発明のローカルネットワークに接続されているホームエージェント装置３０からの受信は、ホームエージェント装置３０及び移動元アクセスルータ７１が接続されているローカルネットワークを介した通信サービスであるから、本願発明の「第1のネットワークを介した通信サービス」に含まれる。したがって、引用発明の「移動端末１０は、ホームエージェント装置３０からの受信のために、移動元アクセスルータ７１配下の通信のＬ１／Ｌ２接続を既に確立」するとは、本願発明と同様に、「第1のネットワークを介した通信サービスのための第1の接続を確立する」といえる。
　よって、本願発明の「第1のネットワークを介した通信サービスのための第1の接続を第1のアクセスノードと確立するステップ」と、引用発明の「ローカルネットワークにホームエージェント装置３０とアクセスルータ７１、７２が接続され」及び「移動端末１０は、ホームエージェント装置３０からの受信のために、移動元アクセスルータ７１配下の通信のＬ１／Ｌ２接続を既に確立」することは、「第1のネットワークを介した通信サービスのための第1の接続を確立するステップ」の点で共通する。
３．本願請求項１を引用する本願請求項３に「前記ハンドオーバが発生するという指示を前記取得するステップが、前記ハンドオーバを開始するために前記ユーザ機器デバイスによって自律的判定を行うステップを含む」と記載されていることから、本願請求項１に記載された「ハンドオーバが発生するという指示を前記取得するステップ」には「ハンドオーバを開始するためにユーザ機器デバイスによって自律的判定を行うステップ」が含まれている。
　一方、引用発明の「移動端末１０は移動先アクセスルータ７２へのハンドオーバの発生を検出」することは、移動端末１０がハンドオーバが発生するという状態を取得していることであるから、ハンドオーバを開始するために移動端末１０によって、本願発明と同様に、「自律的判定」を行っているといえる。
　よって、引用発明の「移動端末１０は移動先アクセスルータ７２へのハンドオーバの発生を検出」することは、本願発明の「前記ハンドオーバを開始するために前記ユーザ機器デバイスによって自律的判定を行うステップ」に含まれる。
　そして、本願発明において「前記ハンドオーバが発生するという指示を前記取得するステップが、前記ハンドオーバを開始するために前記ユーザ機器デバイスによって自律的判定を行うステップを含む」ことから、引用発明の「移動端末１０は移動先アクセスルータ７２へのハンドオーバの発生を検出」することは、本願発明の「ハンドオーバが発生するという指示を取得するステップ」にも含まれる。
　したがって、引用発明の「移動端末１０は移動先アクセスルータ７２へのハンドオーバの発生を検出」することは、本願発明の「前記ハンドオーバが発生するという指示を前記取得するステップが、前記ハンドオーバを開始するために前記ユーザ機器デバイスによって自律的判定を行うステップを含む」に含まれ、「ハンドオーバが発生するという指示を取得するステップ」に含まれる。
４．引用発明の「ホームエージェント装置３０が既に登録されている移動元アクセスルータ７１配下と移動先アクセスルータ７２配下の双方でパケットを送出できるように、移動端末１０がホームエージェント装置３０にバインディングアップデートメッセージを送出」することは、移動端末１０がバインディングアップデートメッセージを送出することに伴って、移動端末１０とホームエージェント装置３０の間の通信が移動元アクセスルータ７１配下とともに移動先アクセスルータ７２配下で行われていることになるから、移動端末１０は、既に登録されている移動元アクセスルータ７１配下の通信の接続が確立された状態にとどまると同時に、移動先アクセスルータ７２配下の通信の接続を確立するといえる。ここで、移動元アクセスルータ７１配下の通信の接続が確立された状態とは、上記「２．」で説示したとおり、移動元アクセスルータ７１配下の通信のＬ１／Ｌ２接続である第１の接続が確立された状態であるであるから、引用発明の既に登録されている移動元アクセスルータ７１配下の通信の接続が確立された状態にとどまると同時にとは、本願発明と同様に、「第１の接続が確立された状態にとどまると同時に」といえる。また、移動先アクセスルータ７２配下の通信の接続は、本願発明と同様に、「第２の接続」といえることから、移動先アクセスルータ７２配下の通信の接続を確立することは、第２の接続を確立することといえる。
　そして、引用発明における移動先アクセスルータ７２はローカルネットワークに接続されており、上記「２」で説示したとおり、引用発明のローカルネットワークは本願発明の「第１のネットワーク」に含まれ、移動先アクセスルータ７２配下の移動端末１０とホームエージェント装置３０の間の通信も本願発明の「第1のネットワークを介した通信サービス」に含まれることから、移動先アクセスルータ７２配下の通信の接続を確立することは、本願発明と同様に、移動端末１０は「第１のネットワークを介した通信サービスのための第２の接続を確立する」ことといえる。
　更に、「第1のネットワーク」は「第1のネットワークまたは第2のネットワーク」に含まれることから、本願発明の「前記第1の接続が確立された状態にとどまると同時に、前記第1のネットワークまたは第2のネットワークを介した通信サービスのための第2の接続を第2のアクセスノードと確立するステップ」と、引用発明の「ホームエージェント装置３０が既に登録されているアクセスルータ７１配下と移動先アクセスルータ７２配下の双方でパケットを送出できるように、移動端末１０がホームエージェント装置３０にバインディングアップデートメッセージを送出」することとは、「前記第1の接続が確立された状態にとどまると同時に、前記第1のネットワークまたは第2のネットワークを介した通信サービスのための第2の接続を確立するステップ」の点で共通する。
５．上記「２．」及び「４．」で説示したとおり、移動元アクセスルータ７１配下の通信のＬ１／Ｌ２接続は、本願発明と同様、「第１の接続」といえ、移動先アクセスルータ７２配下の通信の接続は、本願発明と同様に、「第２の接続」といえることから、本願発明の「ハンドオーバ中に前記第1の接続と前記第2の接続の両方を介してパケットを受信するステップ」と、引用発明の「ハンドオーバ中に、移動元アクセスルータ７１配下と移動先アクセスルータ７２配下の双方で同一パケットを受信」することとは、「ハンドオーバ中に前記第1の接続と前記第2の接続の両方を介してパケットを受信するステップ」の点で共通する。
６．引用発明では「移動端末１０は、ハンドオーバ中にパケットのシーケンス番号をもとにパケットの重複受信を回避し、同一シーケンス番号が検出された場合は、既に受信されたデータパケットの複製であるとして、該パケットを破棄」していることから、本願発明と同様に、「ハンドオーバ中に受信された重複パケットを削除」しているといえる。
　また、引用発明では「シーケンス番号は既に受信したパケットと後から受信したパケットとを比較するために使用され」、既に受信したパケットと後から受信したパケットとはアクセスルータ７１配下で受信されたパケットと移動先アクセスルータ７２配下で受信されたパケットのことであるから、シーケンス番号はアクセスルータ７１配下で受信したパケットと移動先のアクセスルータ７２配下で受信したパケットとを比較するために使用されているといえる。つまり、シーケンス番号は、本願発明と同様に、「第1の接続を介して受信されたパケットと第2の接続を介して受信されたパケットとを比較するために使用」されているといえる。
　そして、引用発明のシーケンス番号は、パケットの識別子の１つといえることから、本願発明の「パケット識別子」に含まれる。
　よって、本願発明の「前記ハンドオーバ中に受信された重複パケットを削除するステップであって、パケット識別子が、前記第1の接続を介して受信されたパケットと、前記第2の接続を介して受信されたパケットとを比較するために使用される、ステップ」と、引用発明の「移動端末１０はハンドオーバ中にパケットのシーケンス番号をもとにパケットの重複受信を回避し、同一シーケンス番号が検出された場合は、既に受信されたデータパケットの複製であるとして、該パケットを破棄し、シーケンス番号は既に受信したパケットと後から受信したパケットとを比較するために使用され」ることとは、「前記ハンドオーバ中に受信された重複パケットを削除するステップであって、パケット識別子が、前記第1の接続を介して受信されたパケットと、前記第2の接続を介して受信されたパケットとを比較するために使用される、ステップ」の点で共通する。
７．引用発明は移動元アクセスルータ７１から移動先アクセスルータ７２へのハンドオーバであるから、引用発明の「移動先ネットワークへのハンドオーバ完了後に複製配信を停止させる」とは移動端末１０と移動元アクセスルータ７１配下の接続を終了して通信を終了することであることは明らかである。そして、上記「２．」で説示したとおり、移動元アクセスルータ７１配下の通信のＬ１／Ｌ２接続は、本願発明と同様、「第１の接続」といえることから、引用発明の移動端末１０と移動元アクセスルータ７１配下の接続を終了することは、本願発明と同様に、「第1の接続を終了する」といえる。
　よって、本願発明の「前記第1の接続を終了するステップ」と、引用発明の「移動先ネットワークへのハンドオーバ完了後に複製配信を停止させる」こととは、「前記第1の接続を終了するステップ」の点で共通する。
　以上のことから、本願発明と引用発明との一致点及び相違点は、次のとおりである。
（一致点）
「　デュアルアクティブハンドオーバを円滑にするためにユーザ機器デバイス上で動作可能な方法であって、
　第1のネットワークを介した通信サービスのための第1の接続を確立するステップと、
　ハンドオーバが発生するという指示を取得するステップと、
　前記第1の接続が確立された状態にとどまると同時に、前記第1のネットワークまたは第2のネットワークを介した通信サービスのための第2の接続を確立するステップと、
　ハンドオーバ中に前記第1の接続と前記第2の接続の両方を介してパケットを受信するステップと、
　前記ハンドオーバ中に受信された重複パケットを削除するステップであって、パケット識別子が、前記第1の接続を介して受信されたパケットと、前記第2の接続を介して受信されたパケットとを比較するために使用される、ステップと、
　前記第1の接続を終了するステップと
を含む、
　前記ハンドオーバが発生するという指示を前記取得するステップが、前記ハンドオーバを開始するために前記ユーザ機器デバイスによって自律的判定を行うステップを含む、
方法。」
（相違点）
１．本願発明では、第1の接続及び第2の接続について、「第1の接続を第1のアクセスノードと確立」及び「第2の接続を第2のアクセスノードと確立」し、ハンドオーバについては第２のアクセスノードに対して発生するのに対し、引用発明では、第1の接続については移動元アクセスルータ７１配下の通信のＬ１／Ｌ２接続であり、第２の接続については具体的に特定されておらず、ハンドオーバについては移動先アクセスルータ７２へのハンドオーバが発生するが、当該発明特定事項は特定されていない点。
２．本願発明では、「前記ハンドオーバ中に前記受信されたパケットを並べ替えるステップ」を有するのに対し、引用発明ではハンドオーバ中に「パケットのシーケンス番号をもとにパケットの重複受信を回避」しているが、並べ替えることは特定されていない点。
　以下、相違点について検討する。
（相違点１について）
　引用発明では、移動端末１０は無線交信する際にＬ１／Ｌ２接続を行うことから、アクセスルータ側にもＬ１／Ｌ２接続を行うアクセスノードがあることは明らかである。よって、引用発明では、移動元アクセスルータ７１配下の通信において、及び、ハンドオーバ先の移動先アクセスルータ７２配下の通信においてもＬ１／Ｌ２接続を行うアクセスノードであることは明らかである。
　また、引用発明の移動端末は移動元アクセスルータ７１配下の通信のＬ１／Ｌ２接続を確立していることから、同様にハンドオーバ先の移動先アクセスルータ７２配下の通信においてもＬ１／Ｌ２接続が必要である。
　よって、引用発明の移動元アクセスルータ７１配下の通信のＬ１／Ｌ２接続の確立先を移動元アクセスルータ７１側のアクセスノードとし、ハンドオーバ先を移動先アクセスルータ７２側のアクセスノードとし、移動先アクセスルータ７２配下の通信のＬ１／Ｌ２接続の確立先を移動先アクセスルータ７２側のアクセスノードとすることは、引用発明において行われているといえるし、また当業者が容易に想到しうる。
（相違点２について）
　まず、上記「第４　引用発明及び周知事項について」の「２．周知事項について」で認定したように「パケットをシーケンス番号をもとに並び替える。」ことは周知事項である。
　よって、引用発明において、周知事項に基づいて、ハンドオーバ中にパケットのシーケンス番号をもとに並べ替えることは当業者が容易に想到しうる。
　したがって、本願発明は引用発明及び周知事項に基づいて、当業者が容易に発明をすることができたものである。
　ここで、令和２年１２月２２日の意見書において、審判請求人は、「引用文献１５の開示によって、「パケット識別子が、前記第1の接続を介して受信されたパケットと、前記第2の接続を介して受信されたパケットとを比較するために使用される」ことを示唆することはできません。」と主張している。
　しかしながら、「第５　対比及び判断」の「６．」で検討したように、引用発明では「シーケンス番号は既に受信したパケットと後から受信したパケットとを比較するために使用され」、既に受信したパケットと後から受信したパケットとはアクセスルータ７１配下で受信したパケットと移動先のアクセスルータ７２配下で受信したパケットのことであるから、シーケンス番号はアクセスルータ７１配下で受信したパケットと移動先のアクセスルータ７２配下で受信したパケットとを比較するために使用されているといえる。つまり、引用発明では、シーケンス番号は第1の接続を介して受信されたパケットと第2の接続を介して受信されたパケットとを比較するために使用されているといえる。
　よって、引用文献１５の開示によって、「パケット識別子が、前記第1の接続を介して受信されたパケットと、前記第2の接続を介して受信されたパケットとを比較するために使用される」ことが示唆されており、上記主張は認められない。
第６　むすび
　以上のとおり、本願の請求項１に係る発明は、引用例１５に記載された発明及び周知事項に基づいて、当業者が容易に発明をすることができたものであるから、特許法第２９条第２項の規定により特許を受けることができない。
　したがって、他の請求項に係る発明について検討するまでもなく、本願は拒絶されるべきものである。
　よって、結論のとおり審決する。